(57)【要約】【課題】ＡＶアンプに内蔵された音響処理用のプロセッサを有効活用することで、より望ましい音を聴者に提供する。【解決手段】プレーヤ３とＡＶアンプ４ａ、及びＡＶアンプ４ａとＡＶアンプ４ｂはＨＤＭＩケーブル８１により接続されている。ＡＶアンプ４ａは、ＡＶアンプ４ｂの処理能力やＡＶアンプ４ｂに対するスピーカの接続状態等を示すデータをＡＶアンプ４ｂから取得し、そのデータが示す情報と、自機の処理能力や自機に対するスピーカの接続状態等に基づき、プレーヤ３から供給される音信号に対し自機が行うべき音響処理ＺＥａとＡＶアンプ４ｂが行うべき音響処理ＺＥｂとを決定する。ＡＶアンプ４ａはその決定に従いＡＶアンプ４ｂが行うべき音響処理ＺＥｂの内容を示す制御信号を生成しＡＶアンプ４ｂに供給する。ＡＶアンプ４ｂはＡＶアンプ４ａから供給される制御信号に従い、ＡＶアンプ４ａと並行して音信号に対する音響処理を行う。【選択図】図１
2013201651.tif 000002
【特許請求の範囲】
【請求項１】
音響コンテンツを示す音信号を取得する音信号取得手段と、
前記音信号取得手段により取得された音信号に音響効果を付加するための信号処理を施して第１のスピーカに対し出力するプロセッサと、
前記音響コンテンツを示す音信号を取得し当該音信号に音響効果を付加するための信号処理を施して第２のスピーカに対し出力するプロセッサを備える自機とは異なる他のＡＶアンプに対し、当該音信号に対し行う信号処理の内容を指示する制御信号を送信する送信手段と
を備えるＡＶアンプ。
【請求項２】
前記他のＡＶアンプの備えるプロセッサの処理能力を示すデータを取得するデータ取得手段と、
前記処理能力を示すデータに基づき前記制御信号を生成する制御手段と
を備える請求項１に記載のＡＶアンプ。
【請求項３】
前記データ取得手段は、前記他のＡＶアンプから前記処理能力を示すデータを取得する
請求項２に記載のＡＶアンプ。
【請求項４】
音響コンテンツを示す音信号を取得する音信号取得手段と、
前記音響コンテンツを示す音信号を取得し当該音信号に音響効果を付加するための信号処理を施して第１のスピーカに対し出力するプロセッサを備える自機とは異なる他のＡＶアンプから、前記音信号取得手段により取得された音信号に対し行う信号処理の内容を指示する制御信号を受信する受信手段と、
前記音信号取得手段により取得された音信号に前記受信手段により受信された制御信号に従った音響効果を付加するための信号処理を施して第２のスピーカに対し出力するプロセッサと
を備えるＡＶアンプ。
【請求項５】
前記他のＡＶアンプに対し、自機の備える前記プロセッサの処理能力を示すデータを送信する送信手段
を備える請求項４に記載のＡＶアンプ。
【発明の詳細な説明】
【技術分野】
【０００１】
この発明は、音響システムのアンプに内蔵されるプロセッサの動作を制御する技術に関する。
【背景技術】
【０００２】
ホームシアターシステムなどの音響設備に広く採り入れられている音響技術の一つにマルチチャンネルサラウンド技術がある。マルチチャンネルサラウンド技術は、映像コンテンツの画像とともに再生される音の音像を聴者の周囲に配した複数個のスピーカを用いて制御する技術である。
【０００３】
近年、ホームシアターシステムにおいて再生される音響コンテンツのチャンネル数は増加の傾向にある。音響コンテンツのオリジナルソースのチャンネル数が増加の傾向にあるのに加えて、例えば５．１チャンネルのオリジナルソースを用いて音響処理により１１．２チャンネルの音響コンテンツを生成し再生する技術も登場している。このようにチャンネル数が多数となると、マルチチャンネルサラウンドを実現するために必要なチャンネル数が、既存の１台のＡＶアンプにより出力可能なチャンネル数を超える場合が生じる。
【０００４】
上記の問題を解消する技術として、特許文献１においては、１台のＡＶアンプの出力可能なチャンネル数を超えたチャンネル数のマルチチャンネルサラウンドを実現するために、複数台のＡＶアンプにそれら多数チャンネルの音信号を分配する仕組みが提案されている。
【先行技術文献】
【特許文献】
【０００５】
【特許文献１】特開２０１１−１２４９２５号公報
【発明の概要】
【発明が解決しようとする課題】
【０００６】
マルチチャンネルサラウンドを実現するシステムにおいて、コンテンツ再生装置と各スピーカの間に介挿されるＡＶアンプに音響処理向けに作り込まれたプロセッサを搭載したインテリジェントなＡＶアンプを使用することで、より臨場感に富んだ音を聴者に提供することができる。
【０００７】
上述した特許文献１において提案されている仕組みを、これらのインテリジェントなＡＶアンプに適用した場合、マスターとなるＡＶアンプの音響処理用のプロセッサにより全ての音響処理が行われ、スレーブとなるＡＶアンプが持つ音響処理用のプロセッサは活用されない。
【０００８】
そのため、音信号のチャンネル数が増えるほどＡＶアンプ内の音響処理用のプロセッサの処理負担が大きくなり、処理の遅延や可能な音響処理の制限が生じる。
【０００９】
本発明は、上記の事情に鑑みてなされたものであり、ＡＶアンプに内蔵された音響処理用のプロセッサを有効活用することで、より望ましい音を聴者に提供することを目的とする。
【課題を解決するための手段】
【００１０】
上記課題を解決するため、本発明は、音響コンテンツを示す音信号を取得する音信号取得手段と、前記音信号取得手段により取得された音信号に音響効果を付加するための信号処理を施して第１のスピーカに対し出力するプロセッサと、前記音響コンテンツを示す音信号を取得し当該音信号に音響効果を付加するための信号処理を施して第２のスピーカに対し出力するプロセッサを備える自機とは異なる他のＡＶアンプに対し、当該音信号に対し行う信号処理の内容を指示する制御信号を送信する送信手段とを備えるＡＶアンプを提供する。
【００１１】
また本発明は、音響コンテンツを示す音信号を取得する音信号取得手段と、前記音響コンテンツを示す音信号を取得し当該音信号に音響効果を付加するための信号処理を施して第１のスピーカに対し出力するプロセッサを備える自機とは異なる他のＡＶアンプから、前記音信号取得手段により取得された音信号に対し行う信号処理の内容を指示する制御信号を受信する受信手段と、前記音信号取得手段により取得された音信号に前記受信手段により受信された制御信号に従った音響効果を付加するための信号処理を施して第２のスピーカに対し出力するプロセッサとを備えるＡＶアンプを提供する。
【００１２】
これらのＡＶアンプによれば、マスタアンプとして機能する前者のＡＶアンプからスレーブアンプとして機能する後者のＡＶアンプに対しスレーブアンプにおいて実行されるべき音響処理の内容が指示される結果、それら２つのＡＶアンプの各々が備えるプロセッサの両方を用いて１つの音響コンテンツに従った音場が作り出される。その結果、一方のＡＶアンプのプロセッサのみを用いて音響処理が行われる場合と比較し、より望ましい音場の生成が可能となる。
【００１３】
また、マスタアンプとして機能する上記のＡＶアンプにおいて、前記他のＡＶアンプの備えるプロセッサの処理能力を示すデータを取得するデータ取得手段と、前記処理能力を示すデータに基づき前記制御信号を生成する制御手段とを備える、という構成が採用されてもよい。
【００１４】
そのようなＡＶアンプによれば、スレーブアンプとして機能するＡＶアンプの処理能力が機種により様々に異なる場合であっても、そのＡＶアンプの処理能力に応じた望ましい音響処理の分担が行われ得る。
【００１５】
また、マスタアンプとして機能する上記のＡＶアンプにおいて、前記データ取得手段は、前記他のＡＶアンプから前記処理能力を示すデータを取得する、という構成が採用されてもよい。
【００１６】
また、スレーブアンプとして機能する上記のＡＶアンプにおいて、前記他のＡＶアンプに対し、自機の備える前記プロセッサの処理能力を示すデータを送信する送信手段を備える、という構成が採用されてもよい。
【００１７】
これらのＡＶアンプによれば、スレーブアンプとして機能するＡＶアンプからマスタアンプとして機能するＡＶアンプに対し、スレーブアンプの処理能力が伝えられる結果、マスタアンプとして機能するＡＶアンプは、例えば様々な機種に応じた処理能力を示すデータを予め記憶しておく必要がない。
【図面の簡単な説明】
【００１８】
【図１】この発明の第１実施形態にかかる音響システムの構成を示す図である。
【図２】この発明の第２実施形態にかかる音響システムの構成を示す図である。
【図３】この発明の第３実施形態にかかる音響システムの構成を示す図である。
【図４】この発明の第４実施形態にかかる音響システムの構成を示す図である。
【発明を実施するための形態】
【００１９】
以下、図面を参照し、この発明の実施の形態を説明する。
＜第１実施形態＞
図１は、本発明の第１実施形態にかかる音響システム５０の構成を示す図である。本実施形態である音響システム５０は、映像コンテンツの再生音を居室９０内の視聴者ＬＳＮに聴取させるシステムである。この音響システム５０は、テレビ９１とともに居室９０内に設置され利用される。
【００２０】
図１に示すように、本実施形態である音響システム５０は、居室９０内において、視聴者ＬＳＮの前方中央（テレビ９１の下）、前方左、前方右、前方斜め左、前方斜め右、後方斜め左、後方斜め右、後方左、後方右の各々に配置された９台のメインスピーカであるスピーカ１Ｃ、スピーカ１Ｌ、スピーカ１Ｒ、スピーカ１ＬＳＦ、スピーカ１ＲＳＦ、スピーカ１ＬＳ、スピーカ１ＲＳ、スピーカ１ＬＳＢ、スピーカ１ＲＳＢと、これらのメインスピーカよりも低周波帯域における放音能力に優れたスピーカであり居室９０内の任意の場所に配置されたサブウーファ１ＳＷからなる９．１チャンネルのスピーカシステムを備えている。以下、これらのスピーカを総称してスピーカ群１と呼ぶ。
【００２１】
なお、上記の各スピーカに付された記号は各々以下を意味する。
Ｃ：Center
Ｌ：Left
Ｒ：Right
ＬＳＦ：Left Surround-Front
ＲＳＦ：Right Surround-Front
ＬＳ：Left Surround
ＲＳ：Right Surround
ＬＳＢ：Left Surround-Back
ＲＳＢ：Right Surround-Back
ＳＷ：Sub-Woofer
【００２２】
また、音響システム５０は、視聴者ＬＳＮによって操作されるリモートコントローラ２と、記録媒体８０に記録されたＡＶ（Audio Visual）コンテンツを再生するプレーヤ３と、各々が入力される音信号に音響効果を付加する音響処理を施して出力するＤＳＰ（Digital Signal Processor）１１を内蔵するＡＶアンプ４ａ及びＡＶアンプ４ｂを備えている。
【００２３】
スピーカ群１に含まれるスピーカのうち、スピーカ１Ｃ、スピーカ１Ｌ、スピーカ１Ｒ、スピーカ１ＬＳ、スピーカ１ＲＳ、サブウーファ１ＳＷはＡＶアンプ４ａに接続されている。一方、スピーカ１ＬＳＦ、スピーカ１ＲＳＦ、スピーカ１ＬＳＢ、スピーカ１ＲＳＢはＡＶアンプ４ｂに接続されている。これらのスピーカの放音面いずれもは視聴者ＬＳＮに向けられている。スピーカ群１に含まれる各スピーカは、接続されているＡＶアンプから出力される音信号に従い居室９０内に音を放音する。
【００２４】
リモートコントローラ２は、テレビ９１、ＡＶアンプ４ａおよびＡＶアンプ４ｂに対し、ＡＶコンテンツの再生、停止、各種再生モードの切り替えなどを指示する操作信号ＷＳを発信する。本実施形態において、再生モードとはＡＶコンテンツの再生における映像および音響に付加する効果の種類を意味し、音響システム５０においては例として、昼間の映画の視聴に好適なシネマモード、夜間の映画の視聴に好適なナイトシネマモード、テレビの視聴に好適なテレビモード、ゲームのプレイに好適なゲームモード、ミュージックコンテンツの聴取に好適なミュージックモードの５種類の再生モードによるＡＶコンテンツの再生が可能であるものとする。
【００２５】
プレーヤ３は、所定の規格に従いエンコードされた画像信号である信号ＰＣＤと、所定の規格に従いエンコードされた９．１チャンネルの音信号である信号ＭＣＤを記録媒体８０から読み出し、これらの信号ＰＣＤ及び信号ＭＣＤをＨＤＭＩ出力端子９から出力する。なお、ＨＤＭＩ（登録商標）はＡＶ信号の入出力インタフェースの規格であるHigh-Definition Multimedia Interfaceの略称である。
【００２６】
ＡＶアンプ４ａは、プレーヤ３から出力される信号ＰＣＤ及び信号ＭＣＤを取得し、信号ＰＣＤをテレビ９１に供給するとともに、自機（ＡＶアンプ４ａ）内のＤＳＰ１１ａを用いて信号ＭＣＤをデコードし、９．１チャンネル（メインスピーカ用の９チャンネルおよびサブウーファ用の１チャンネル）の音信号ＭＤC、ＭＤL、ＭＤR、ＭＤLSF、ＭＤRSF、ＭＤLS、ＭＤRS、ＭＤLSB、ＭＤRSB、ＭＤSWを生成する。
【００２７】
ＡＶアンプ４ａは上記の音信号のうちＭＤC、ＭＤL、ＭＤR、ＭＤLS、ＭＤRS、ＭＤSWに対し、ＤＳＰ１１ａにより、ユーザに選択されている再生モードに応じた音響効果を付加する音響処理ＺＥａを施し、音信号ＭＤ’C、ＭＤ’L、ＭＤ’R、ＭＤ’LS、ＭＤ’RS、ＭＤ’SWを生成する。ＡＶアンプ４ａはそれらの音信号をＤＡ（Digital to Analog）コンバータ（図示略）によりアナログの音信号に変換した後、アンプ（図示略）によりスピーカレベルに増幅し、スピーカ１Ｃ、スピーカ１Ｌ、スピーカ１Ｒ、スピーカ１ＬＳ、スピーカ１ＲＳ、サブウーファ１ＳＷに供給する。
【００２８】
また、ＡＶアンプ４ａは、デコードにより生成した音信号ＭＤLSF、ＭＤRSF、ＭＤLSB、ＭＤRSBをＡＶアンプ４ｂに出力する。ＡＶアンプ４ｂは、ＡＶアンプ４ａからそれらの音信号を取得すると、自機（ＡＶアンプ４ｂ）内のＤＳＰ１１ｂを用いてこれらの音信号に対し、ユーザにより選択されている再生モードに応じた音響効果を付加する音響処理ＺＥｂを施し、音信号ＭＤ’LSF、ＭＤ’RSF、ＭＤ’LSB、ＭＤ’RSBを生成する。ＡＶアンプ４ｂはそれらの音信号をＤＡコンバータ（図示略）によりアナログの音信号に変換した後、アンプ（図示略）によりスピーカレベルに増幅し、スピーカ１ＬＳＦ、スピーカ１ＲＳＦ、スピーカ１ＬＳＢ、スピーカ１ＲＳＢに供給する。
【００２９】
ＡＶアンプ４ｂが行うべき音響処理ＺＥｂは、ＡＶアンプ４ａからＡＶアンプ４ｂに対し供給される制御信号ＯＳｂによりＡＶアンプ４ｂに対し指示される。すなわち、ＡＶアンプ４ａはＡＶアンプ４ｂに処理を指示するマスタアンプとして機能し、ＡＶアンプ４ｂはマスタアンプの指示に従い処理を行うスレーブアンプとして機能する。
【００３０】
ＡＶアンプ４ａ及び４ｂの構成の詳細は次の通りである。ＡＶアンプ４ａの筐体１０ａには、ビデオ出力端子５ａ、オーディオ出力端子６ａ−ｉ（ｉ＝１〜８）、ＨＤＭＩ入力端子７ａ、ＨＤＭＩ出力端子８ａが設けられている。同様に、ＡＶアンプ４ｂの筐体１０ｂには、ビデオ出力端子５ｂ、オーディオ出力端子６ｂ−ｉ（ｉ＝１〜８）、ＨＤＭＩ入力端子７ｂ、ＨＤＭＩ出力端子８ｂが設けられている。
【００３１】
ＡＶアンプ４ａのビデオ出力端子５ａはテレビ９１と接続されている。ＡＶアンプ４ａのオーディオ出力端子６ａ−１、６ａ−２、６ａ−３、６ａ−４、６ａ−５、６ａ−６の各々はスピーカ１Ｃ、スピーカ１Ｌ、スピーカ１Ｒ、スピーカ１ＬＳ、スピーカ１ＲＳ、サブウーファ１ＳＷと接続されている。ＡＶアンプ４ｂのオーディオ出力端子６ｂ−１、６ｂ−２、６ｂ−３、６ｂ−４の各々はスピーカスピーカ１ＬＳＦ、スピーカ１ＲＳＦ、スピーカ１ＬＳＢ、スピーカ１ＲＳＢと接続されている。
【００３２】
ＡＶアンプ４ａのＨＤＭＩ入力端子７ａはプレーヤ３のＨＤＭＩ出力端子９とＨＤＭＩケーブル８１ａにより接続されている。ＡＶアンプ４ｂのＨＤＭＩ入力端子７ｂはＡＶアンプ４ａのＨＤＭＩ出力端子８ａとＨＤＭＩケーブル８１ｂにより接続されている。
【００３３】
図１の枠内に示すように、ＨＤＭＩケーブル８１ａは、ＴＭＤＳ(Transition Minimized Differential Signaling)信号線ＬＮTMDS1〜ＬＮTMDS12（ＴＭＤＳに従って画像信号や音信号を伝送する信号線）、ＡＲＣ(Audio Return Channel)信号線ＬＮARC（ＴＭＤＳと逆方向に信号を伝送する信号線）、及びＣＥＣ(Consumer Electronics Control)信号線ＬＮCEC（ＨＤＭＩケーブにより接続されたデバイス間のコマンドの伝送に使用する信号線）などの複数の信号線を有している。ＨＤＭＩケーブル８１ｂも同様である。
【００３４】
ＡＶアンプ４ａの筐体１０ａの中には、ＤＳＰ１１ａと制御部１２ａが収容されている。ＡＶアンプ４ｂの筐体１０ｂの中には、ＤＳＰ１１ｂと制御部１２ｂが収容されている。
【００３５】
ＡＶアンプ４ａの制御部１２ａはＤＳＰ１１ａの信号処理の処理内容を制御するとともに、制御信号ＯＳｂの供給を通じてＡＶアンプ４ｂの動作を制御する。また、ＡＶアンプ４ｂの制御部１２ｂは、ＡＶアンプ４ａから供給される制御信号ＯＳｂに従い、ＤＳＰ１１ｂの信号処理の処理内容を制御する。
【００３６】
以下に、上記のような構成を備える音響システム５０の動作を説明する。なお、以下の説明において、プレーヤ３には９．１チャンネルの音響コンテンツを含むＡＶコンテンツが記録された記録媒体８０が装填されており、その音響コンテンツは、例として、ＤＴＳ（Digital Theater Systems）（登録商標）に従いエンコードされているものとする。
【００３７】
ＡＶアンプ４ａの制御部１２ａは電源が投入されると、ＡＶアンプ４ｂに対しＡＶアンプ４ｂの処理能力およびスピーカの接続状態を示す情報を要求する要求信号を出力する。なお、ＡＶアンプ４ｂが電源未投入などの理由で要求信号に対する応答信号を返してこない場合、制御部１２ａは応答信号を得るまで定期的に要求信号の出力を繰り返す。
【００３８】
ＡＶアンプ４ｂの制御部１２ｂは上記の要求信号を受け取ると、ＤＳＰ１１ｂの能力（処理速度、バッファの容量、処理可能なサンプリング周波数など）、オーディオ出力端子６ｂ−１〜８に接続されているスピーカの有無、接続されているスピーカの配置位置などを示す応答信号を生成し、ＡＶアンプ４ａに対し出力する。
【００３９】
なお、要求信号および応答信号の伝送は、例えばＨＤＭＩケーブル８１ｂの信号線ＬＮCECを介して行われる。
【００４０】
その後、視聴者ＬＳＮがリモートコントローラ２を用いてＡＶコンテンツの再生を指示すると、プレーヤ３は記録媒体８０から信号のエンコード方式等を示すメタデータを読み出すとともに、信号ＰＣＤおよび信号ＭＣＤを順次読み出し、それらをＡＶアンプ４ａに、ＨＤＭＩケーブル８１ａの例えば信号線ＬＮTMDS1〜ＬＮTMDS12の空いている帯域を介して出力する。ＡＶアンプ４ａのＨＤＭＩ入力端子７ａはプレーヤ３から入力されるそれらの信号のうちメタデータを制御部１２ａに引き渡すとともに、信号ＰＣＤおよび信号ＭＣＤを順次ＤＳＰ１１ａに引き渡す。ＤＳＰ１１ａは制御部１２ａの指示に従い信号ＰＣＤをデコードし、生成した映像信号をビデオ出力端子５ａから出力する。そのように出力される映像信号はテレビ９１に入力され、映像コンテンツの表示に用いられる。
【００４１】
また、ＤＳＰ１１ａは制御部１２ａの指示に従い、信号ＭＣＤに対するデコード処理ＺＤを行い、音信号ＭＤC、ＭＤL、ＭＤR、ＭＤLSF、ＭＤRSF、ＭＤLS、ＭＤRS、ＭＤLSB、ＭＤRSB、ＭＤSWを生成する。また、ＤＳＰ１１ａは、デコードによりそれらの音信号とともに生成される音響コンテンツのチャンネル構成等を示す付加情報を制御部１２ａに引き渡す。
【００４２】
ＡＶアンプ４ａの制御部１２ａは、プレーヤ３から送信されてくるメタデータおよびＤＳＰ１ａから引き渡される付加情報と、自機のＤＳＰ１１ａの処理能力および自機に対するスピーカの接続状態と、先にＡＶアンプ４ｂから受け取った応答信号により示されるＡＶアンプ４ｂの処理能力およびスピーカの接続状態に基づき、ＡＶアンプ４ａとＡＶアンプ４ｂとの間の処理の配分を決定する。制御部１２ａは、そのように決定した処理の配分に従い、ＡＶアンプ４ｂに対する処理を指示する制御信号ＯＳｂを生成し、ＡＶアンプ４ｂに対し制御信号ＯＳｂを出力する。
【００４３】
ＤＳＰ１１ａは、制御部１２ａの指示に従い、デコード処理ＺＤにより生成した音信号のうち音信号ＭＤC、ＭＤL、ＭＤR、ＭＤLS、ＭＤRS、ＭＤSWに関しては、引き続き音響処理ＺＥａを行い、音信号ＭＤ’C、ＭＤ’L、ＭＤ’R、ＭＤ’LS、ＭＤ’RS、ＭＤ’SWを生成する。そのように生成された音信号は各々、アナログ信号への変換および増幅を経た後、オーディオ出力端子６ａ−１〜６ａ−６を介してスピーカ１Ｃ、スピーカ１Ｌ、スピーカ１Ｒ、スピーカ１ＬＳ、スピーカ１ＲＳ、サブウーファ１ＳＷに出力される。その結果、それらのスピーカから居室９０に対する放音が行われる。
【００４４】
一方、ＤＳＰ１１ａは、制御部１２ａの指示に従い、デコード処理ＺＤにより生成した音信号のうち音信号ＭＤLSF、ＭＤRSF、ＭＤLSB、ＭＤRSBに関しては、それらをＨＤＭＩ出力端子８ａから、ＨＤＭＩケーブル８１ｂの例えば信号線ＬＮTMDS1〜ＬＮTMDS12の空いている帯域を介して出力する。
【００４５】
ＡＶアンプ４ｂのＨＤＭＩ入力端子７ｂは、ＡＶアンプ４ａから入力される音信号ＭＤLSF、ＭＤRSF、ＭＤLSB、ＭＤRSBをＤＳＰ１１ｂに引き渡す。制御部１２ｂは、先にＡＶアンプ４ａから受け取った制御信号ＯＳｂに従い、ＤＳＰ１１ｂに対し音響処理ＺＥｂの処理を指示する。その指示に従い、ＤＳＰ１１ｂは音信号ＭＤLSF、ＭＤRSF、ＭＤLSB、ＭＤRSBに対し音響処理ＺＥｂを実行し、音信号ＭＤ’LSF、ＭＤ’RSF、ＭＤ’LSB、ＭＤ’RSBを生成する。そのように生成された音信号は各々、アナログ信号への変換および増幅を経た後、オーディオ出力端子６ｂ−１〜６ｂ−４を介してスピーカ１ＬＳＦ、スピーカ１ＲＳＦ、スピーカ１ＬＳＢ、スピーカ１ＲＳＢに出力される。その結果、それらのスピーカから居室９０に対する放音が行われる。
【００４６】
上記のように、音響システム５０においては、ＡＶアンプ４ａとＡＶアンプ４ｂが連係動作することで１つの音響コンテンツの再生処理を行う。その際、マスタアンプとして機能するＡＶアンプ４ａの指示に従いスレーブアンプとして機能するＡＶアンプ４ｂもまた音信号に対し音響処理を行うため、ＤＳＰ１１ａに音響処理の負荷が集中することがなく、ＡＶアンプ４ｂのＤＳＰ１１ｂを有効活用することができる。その結果、例えばＡＶアンプ４ａのみでは処理能力を超えるような音響処理が可能となって、より臨場感豊かな音場が作られる。
【００４７】
＜第２実施形態＞
図２は、本発明の第２実施形態にかかる音響システム１５０の構成を示す図である。音響システム１５０は多くの点で音響システム５０と共通している。従って、以下に音響システム１５０が音響システム５０と異なる点を中心に説明する。また、音響システム１５０が備える構成部のうち音響システム５０が備える構成部と共通のものには音響システム５０において用いた符号と同じ符号を用いる。
【００４８】
音響システム５０においては、ＤＳＰ１１ａにおいてデコード処理ＺＤにより生成された音信号がそのまま、ＡＶアンプ４ａからＡＶアンプ４ｂに出力される構成が採用されている。これに対し、音響システム１５０においては、ＤＳＰ１１ａにおいてデコード処理ＺＤにより生成された音信号に対し、ＤＳＰ１１ａにおいて一部の音響処理が施された音信号がＡＶアンプ４ａからＡＶアンプ４ｂに対し出力される。
【００４９】
以下に、そのような構成の一例として、９．１チャンネルのステレオシステムを用いて、５．１チャンネルの信号ＭＣＤに従った音場を作るために、ＤＳＰ１１ａにおいてミキシング処理が行われた後の音信号がＡＶアンプ４ａからＡＶアンプ４ｂに供給される場合を説明する。
【００５０】
ＡＶコンテンツの再生において、ＤＳＰ１１ａは制御部１２ａの指示に従い、プレーヤ３から入力される信号ＭＣＤに対しデコード処理ＺＤを行い、５．１チャンネルの音信号、すなわち音信号ＭＤC、ＭＤL、ＭＤR、ＭＤLS、ＭＤRS、ＭＤSWを生成する。ＤＳＰ１１ａはそれらの音信号に対し、引き続き音響処理ＺＥａを行い、音響システム５０における場合と同様に、音信号ＭＤ’C、ＭＤ’L、ＭＤ’R、ＭＤ’LS、ＭＤ’RS、ＭＤ’SWを生成し、スピーカ１Ｃ、スピーカ１Ｌ、スピーカ１Ｒ、スピーカ１ＬＳ、スピーカ１ＲＳ、サブウーファ１ＳＷに出力する。
【００５１】
上記の処理と並行して、ＤＳＰ１１ａは音信号ＭＤL、ＭＤR、ＭＤLS、ＭＤRSを用いた音響処理ＺＥ’ａを実行し、音信号ＭＤLSF、ＭＤRSF、ＭＤLSB、ＭＤRSBを生成する。具体的には、ＤＳＰ１１ａは音響処理ＺＥ’ａにおいて、音信号ＭＤLとＭＤLSに対しレベル調整処理および遅延処理を行った後にそれらの音信号をミキシングすることにより音信号ＭＤLSFを生成する。同様に、ＤＳＰ１１ａは、音信号ＭＤRとＭＤRSに対しレベル調整処理および遅延処理を行った後にそれらの音信号をミキシングすることにより音信号ＭＤRSFを生成する。またＤＳＰ１１ａは、音信号ＭＤLSとＭＤRSに対し各々異なるレベル比のレベル調整処理および異なる遅延時間の遅延処理を行った後にそれらの音信号をミキシングすることにより、音信号ＭＤLSBおよびＭＤRSBを生成する。
【００５２】
ＤＳＰ１１ａは音響処理ＺＥ’ａにより生成した音信号ＭＤLSF、ＭＤRSF、ＭＤLSB、ＭＤRSBをＡＶアンプ４ｂに対し出力する。ＡＶアンプ４ｂのＤＳＰ１１ｂはそれらの音信号を受け取ると、制御部１２ｂの指示に従いそれらの音信号に対し音響処理ＺＥｂを実行し、音信号ＭＤ’LSF、ＭＤ’RSF、ＭＤ’LSB、ＭＤ’RSBを生成する。ＤＳＰ１１ｂは、そのように生成した音信号を音響システム５０における場合と同様に、スピーカ１ＬＳＦ、スピーカ１ＲＳＦ、スピーカ１ＬＳＢ、スピーカ１ＲＳＢに出力する。
【００５３】
上述した音響システム１５０に示されるように、本発明にかかる音響システムにおいて、マスタアンプからスレーブアンプに対し供給される音信号はマスタアンプにおいて音響処理が施されたものであってもよい。
【００５４】
＜第３実施形態＞
図３は、本発明の第３実施形態にかかる音響システム２５０の構成を示す図である。音響システム２５０は多くの点で音響システム１５０と共通している。従って、以下に音響システム２５０が音響システム１５０と異なる点を中心に説明する。また、音響システム２５０が備える構成部のうち音響システム１５０が備える構成部と共通のものには音響システム１５０において用いた符号と同じ符号を用いる。
【００５５】
音響システム１５０においては、プレーヤ３からＡＶアンプ４ａに出力される信号ＭＣＤはＡＶアンプ４ａにおいてデコード処理ＺＤおよび音響処理ＺＥ’ａを施された後にＡＶアンプ４ｂに対し供給される。これに対し、音響システム２５０においては、ＡＶアンプ４ｂはプレーヤ３からＡＶアンプ４ａに入力された信号ＭＣＤをそのままＡＶアンプ４ａから受け取る。
【００５６】
従って、音響システム２５０においては、ＡＶアンプ４ａにおけるデコード処理ＺＤ（以下、「デコード処理ＺＤａ」と呼ぶ）と並行して、ＡＶアンプ４ｂにおいても同様のデコード処理ＺＤ（以下、「デコード処理ＺＤｂ」と呼ぶ）が行われる。
【００５７】
より具体的に説明すると、ＡＶアンプ４ａのＨＤＭＩ入力端子７ａは、プレーヤ３から入力された信号ＭＣＤをＤＳＰ１１ａに引き渡すとともに、そのコピーをＨＤＭＩ出力端子８ａにも引き渡す。
【００５８】
信号ＭＣＤを受け取ったＤＳＰ１１ａは、信号ＭＣＤに対しデコード処理ＺＤａおよび音響処理ＺＥａを行い音信号ＭＤ’C、ＭＤ’L、ＭＤ’R、ＭＤ’LS、ＭＤ’RS、ＭＤ’SWを生成し、それらをスピーカ１Ｃ、スピーカ１Ｌ、スピーカ１Ｒ、スピーカ１ＬＳ、スピーカ１ＲＳ、サブウーファ１ＳＷに出力する。
【００５９】
また、ＡＶアンプ４ａのＨＤＭＩ出力端子８ａはＨＤＭＩ入力端子７ａから引き渡された信号ＭＣＤを、例えばＨＤＭＩケーブル８１ｂの信号線ＬＮTMDS1を介してＡＶアンプ４ｂに対し出力する。ＡＶアンプ４ｂのＤＳＰ１１ｂは、ＨＤＭＩ入力端子７ｂを介して信号ＭＣＤを受け取ると、信号ＭＣＤに対しデコード処理ＺＤｂおよび音響処理ＺＥｂを順次実行し、音信号ＭＤ’LSF、ＭＤ’RSF、ＭＤ’LSB、ＭＤ’RSBを生成する。なお、音響処理ＺＥｂには、例えば音響システム１５０においてＤＳＰ１１ａが実行する音響処理ＺＥ’ａと同様の処理が含まれていてもよい。
【００６０】
上述した音響システム２５０に示されるように、本発明にかかる音響システムにおいて、マスタアンプからスレーブアンプに対し供給される音信号はマスタアンプにおいて何ら処理が施されていないものであってもよい。
【００６１】
＜第４実施形態＞
図４は、本発明の第４実施形態にかかる音響システム３５０の構成を示す図である。音響システム３５０は多くの点で音響システム２５０と共通している。従って、以下に音響システム３５０が音響システム２５０と異なる点を中心に説明する。また、音響システム３５０が備える構成部のうち音響システム２５０が備える構成部と共通のものには音響システム２５０において用いた符号と同じ符号を用いる。
【００６２】
音響システム２５０においては、ＡＶアンプ４ｂはプレーヤ３から出力される信号ＭＣＤをＡＶアンプ４ａを介して受け取る。これに対し、音響システム３５０においては、ＡＶアンプ４ｂはＡＶアンプ４ａを介さず、プレーヤ３から直接、信号ＭＣＤの供給を受ける。
【００６３】
そのため、音響システム３５０においては、プレーヤ３はＨＤＭＩ出力端子９に加えＨＤＭＩ出力端子９’を備え、ＡＶアンプ４ｂはＨＤＭＩ入力端子７ｂに加えＨＤＭＩ入力端子７’ｂを備えている。そして、プレーヤ３のＨＤＭＩ出力端子９’とＡＶアンプ４ｂのＨＤＭＩ入力端子７’ｂは、互いにＨＤＭＩケーブル８１ｃで接続されている。
【００６４】
プレーヤ３は、ＡＶコンテンツの再生において、信号ＰＣＤおよび信号ＭＣＤをＨＤＭＩ出力端子９からＡＶアンプ４ａに対し出力するとともに、信号ＭＣＤをＨＤＭＩ出力端子９’からＡＶアンプ４ｂに対し出力する。ＡＶアンプ４ｂのＨＤＭＩ入力端子７’ｂは、プレーヤ３から入力される信号ＭＣＤを受け取ると、それをＤＳＰ１１ｂに引き渡す。
【００６５】
上記のように各々、プレーヤ３から信号ＭＣＤの入力を受けたＡＶアンプ４ａおよびＡＶアンプ４ｂは、音響システム２５０における場合と同様の処理を行う。
【００６６】
なお、音響システム３５０においてＡＶアンプ４ａＡＶアンプ４ｂがプレーヤ３から信号ＭＣＤを受信するタイミングを正確に知ることができない。そのため、ＡＶアンプ４ａとＡＶアンプ４ｂは処理を同期させるためにＨＤＭＩケーブル８１ｂを介した信号のやりとりを行う。
【００６７】
より具体的に説明すると、ＡＶアンプ４ａは例えばＨＤＭＩケーブル８１ｂの信号線ＬＮTMDS1〜信号線ＬＮTMDS12の空いている帯域を用いて、タイミング信号をＡＶアンプ４ｂに対し出力する。ＡＶアンプ４ｂはそのタイミング信号に従い、ＤＳＰ１１ｂの処理タイミングを調整する。ＡＶアンプ４ｂは自機における処理のタイミングを示す応答信号をＡＶアンプ４ａからのタイミング信号に対する応答信号として、例えばＨＤＭＩケーブル８１ｂのＬＮARCを用いてＡＶアンプ４ａに対し出力する。このような同期処理により、ＡＶアンプ４ａに接続されたスピーカから放音される音と、ＡＶアンプ４ｂに接続されたスピーカから放音される音の間のずれが回避される。
【００６８】
上述した音響システム３５０に示されるように、本発明にかかる音響システムにおいて、スレーブアンプが処理する音信号はマスタアンプから供給されなくてもよい。
【００６９】
＜変形例＞
以上、本発明の具体例を第１乃至第４実施形態として説明したが、これらの実施形態は本発明の技術的思想の範囲内において様々に変形可能である。以下にそれらの変形の例を述べる。
【００７０】
上述した実施形態においては、プレーヤ３から出力される信号ＭＣＤは９．１チャンネルもしくは５．１チャンネルの音信号であるものとしたが、本発明にかかる音響システムにおいて再生に用いられる音信号のチャンネル数はいずれのチャンネル数であってもよい。また、上述した実施形態において用いられるスピーカシステムのチャンネル数もまた、９．１チャンネルに限られず、他の様々なチャンネル数のスピーカシステムが本発明において採用可能である。
【００７１】
また、上述した実施形態において示したプレーヤ３、ＡＶアンプ４ａおよびＡＶアンプ４ｂの間の各種信号の入出力に用いる信号線の種類は例示であって、十分な伝送速度が得られる限り、他の種類の信号線が用いられてもよい。例えば、要求信号、応答信号、制御信号ＯＳｂなどの信号の入出力において、ＨＤＭＩケーブル内の信号線のうち信号線ＬＮCECを用いる代わりに、信号線ＬＮARCや信号線ＬＮTMDS1〜信号線ＬＮTMDS12のうち空いている帯域を用いてもよい。
【００７２】
また、上記した実施形態においては、プレーヤ３、ＡＶアンプ４ａ、およびＡＶアンプ４ｂの間はＨＤＭＩケーブルにより接続されるものとしたが、これらの音響装置間のオーディオ信号の伝送方式はＨＤＭＩ規格に従ったものに限られず、他の規格に従った伝送方式が採用されてもよい。
【００７３】
また、ＡＶアンプ４ａとＡＶアンプ４ｂの間における処理の分担はＡＶアンプ４ａおよびＡＶアンプ４ｂの処理能力やスピーカの接続状態、視聴者ＬＳＮにより指示される音響効果等々に応じて様々に変更され得る。例えば、ＡＶアンプ４ｂにおいて音響処理を施した音信号をＡＶアンプ４ａに、例えば信号線ＬＮARCを介して出力し、ＡＶアンプ４ａにおいてさらに音響効果を施してスピーカに出力するなど、様々なバリエーションが考えられる。
【００７４】
また、上述した実施形態においては、スピーカ１Ｃ、スピーカ１Ｌ、スピーカ１Ｒ、スピーカ１ＬＳ、スピーカ１ＲＳ、サブウーファ１ＳＷがＡＶアンプ４ａに接続され、ＡＶアンプ４ａはそれらのスピーカに応じたチャンネルの音信号を処理・出力し、スピーカ１ＬＳＦ、スピーカ１ＲＳＦ、スピーカ１ＬＳＢ、スピーカ１ＲＳＢがＡＶアンプ４ｂに接続され、ＡＶアンプ４ｂはそれらのスピーカに応じたチャンネルの音信号を処理・出力するものとしたが、いずれのスピーカがＡＶアンプ４ａおよびＡＶアンプ４ｂのいずれに接続されるか、またいずれの音信号がＡＶアンプ４ａおよびＡＶアンプ４ｂのいずれにより処理されるかは任意に変更可能である。
【００７５】
また、上述した実施形態においては、ＡＶアンプ４ａに対し１台のＡＶアンプ４ｂが連係動作する場合につき説明したが、マスタアンプとして機能するＡＶアンプ４ａに対しスレーブアンプとして機能する複数のＡＶアンプ４ｂが連係動作する場合にも本発明は適用可能である。
【００７６】
また、上述した実施形態においては、ＡＶアンプ４ａはＡＶアンプ４ｂの処理能力を示すデータをＡＶアンプ４ｂから取得する構成が採用されている。ＡＶアンプ４ａがＡＶアンプ４ｂの処理能力を示すデータを取得する方法はこれに限られない。例えば、予めＡＶアンプ４ａが様々な機種のＡＶアンプの処理能力を示すデータを型番に対応付けて記憶しておき、ＡＶアンプ４ｂからＡＶアンプ４ｂの型番を取得し、その型番に応じたデータを読み出すことにより、ＡＶアンプ４ｂの処理能力を示すデータを取得するようにしてもよい。
【００７７】
また、ＡＶアンプ４ａがインターネットなどに接続可能であれば、ＡＶアンプ４ａが様々な機種のＡＶアンプの処理能力を記憶する代わりに、ＡＶアンプ４ｂから取得した型番を外部のサーバ装置等に送信し、その応答としてＡＶアンプ４ｂの処理能力を示すデータを取得する構成が採用されてもよい。
【００７８】
また、上述した実施形態においては、ＡＶアンプ４ａはＡＶアンプ４ｂに対するスピーカの接続状態を示すデータもまた、ＡＶアンプ４ｂから取得する構成が採用されている。ＡＶアンプ４ａがＡＶアンプ４ｂに対するスピーカの接続状態を示すデータを取得する方法はこれに限られない。例えば、視聴者ＬＳＮがＡＶアンプ４ａに対しリモートコントローラ２等を用いて、ＡＶアンプ４ｂに対するスピーカの接続状態を示すデータを入力することで、ＡＶアンプ４ａがそのデータを取得するようにしてもよい。
【００７９】
また、上述した５つの再生モードに応じた音響処理はＡＶアンプ４ａおよびＡＶアンプ４ｂにおいて行われる音響処理の一例であって、他の如何なる音響処理がＡＶアンプ４ａおよびＡＶアンプ４ｂにおいて行われてもよい。それらの音響処理の例を挙げると、圧縮音源に伴う高音の伸びや中低音の厚みの不足を解消するために高音域と低音域をそれぞれ補正する音響処理（ミュージックエンハンサー）、コンテンツの特性に応じた音量補正を行う音響処理（アダプティブＤＲＣ）、台詞を明瞭化させる音響処理（クリアボイス）、イコライザやトーンコントロールなどの周波数補正に関する音響処理、オーバーサンプリングなどのサンプリング周波数変換処理、スレーブアンプの出力可能なチャンネル数が少ない場合にチャンネル数を減らすためのダウンミキシング処理などがある。
【符号の説明】
【００８０】
１…スピーカ、２…リモートコントローラ、３…プレーヤ、４…ＡＶアンプ、５…ビデオ出力端子、６…オーディオ出力端子、７…ＨＤＭＩ入力端子、８…ＨＤＭＩ出力端子、９…ＨＤＭＩ出力端子、１０…筐体、１１…ＤＳＰ、１２…制御部、５０…音響システム、８０…記録媒体、８１…ＨＤＭＩケーブル、９０…居室、９１…テレビ、１５０…音響システム、２５０…音響システム、３５０…音響システム
【図１】
2013201651.tif 000003
【図２】
2013201651.tif 000004
【図３】
2013201651.tif 000005
【図４】
2013201651.tif 000006